(57)【特許請求の範囲】
【請求項１】
動体視力や夜間視力計など運転試験場や運転講習会で使用される眼科検査装置において、眼科検査装置とデータ通信接続可能であって、検査結果をデータ管理用コンピュータに転送するデータ転送装置あって、年齢、男女の区別を含む統計分析を行うのに有意な被検者個人データを入力する入力手段と、眼科検査装置の機種名及び製造番号のデータを受け取り、個人データ及び検査データの整理番号の一部として機種名及び製造番号を記憶するメモリと、該メモリに記憶した前記個人データ及び検査データに前記メモリに記憶した機種名及び製造番号を整理番号として付与してデータ管理用コンピュータに出力すると共に、データ管理用コンピュータがファイル形式でデータを管理するためのファイルの識別符号として使用するために、データ転送装置ごとに個別に与えられている機体識別番号をデータ管理用コンピュータに出力する出力手段と、を有するデータ転送装置を、備えたことを特徴とする眼科検査装置。
【発明の詳細な説明】
【０００１】
【発明の属する技術分野】
本発明は、動体視力や夜間視力計など運転試験場や運転講習会で使用される眼科検査装置に関する。
【０００２】
【従来技術】
従来より、人の体型や様々な能力、機能等を測定する装置が知られている。例えば、眼を測定する検眼装置としては、所定の検査距離に視標を呈示してその視力を検査する視力計の他、動体視力計や夜間視力計が知られている。動体視力計は動いている物の見え方の知覚能力を検査する。また、夜間視力計は日中の明るさ相当の空間を一定時間見させることにより被検眼に明順応をさせた後、暗い視野内に視標を呈示し、その視標が視認できるまでの時間により暗順応の知覚能力を検査する。
【０００３】
これら動体視力や夜間視力は、一般に、年齢が増すとともに低下するので、運転免許場や運転講習会では安全運転の方法を指導助言する上で、検査結果の年齢別評価を行ったり年齢との関係をデータ処理することが望まれている。このため、各個人のデータを集計して全体的な統計を取ることも必要になる。このような統計を取る場合には、データ量が多いため電子データにてパソコン等の電子計算機に記憶させておき、表計算用のアプリケーション等を使用してデータの統計が行われている。
【０００４】
このような測定データは電子計算機に出力する毎にファイル形式にて保存することが多い。この際、各データを識別するためのファイル名（識別番号等）が付与されているが、一般にこのようなファイル名はいちいち検者等が付与するのは手間が掛かるため、測定データのファイル形式変換時等に電子計算機や測定装置の機器側で決まった形式にて自動的に付与する場合が多い。
【０００５】
【発明が解決しようとする課題】
しかしながら、例えば、全国各地に同じ機器を配置し、機器側で自動的にファイル名を付与している場合には、ファイル名が同じ名前になってくる可能性が高くなる。そして、全国各地で得られた測定データを統計するために１ヶ所のパソコンに集めた（記憶させた）場合、このようにファイル名が重複した測定データが存在しているとどちらかの測定データが上書きされてしまい消されてしまうことになる。このようなことが起こるとせっかく集めた測定データが使用できなくなってしまうため、大変都合が悪い。
【０００６】
本発明は、上記従来技術に鑑み、検者等に手間をかけること無く測定データのファイル名が付与されると同時に、異機種、同機種に限らず測定データに付与されるファイル名が重複しないようにし、データの消失を防止することができる眼科検査装置を提供することを技術課題とする。
【０００７】
【課題を解決するための手段】
上記課題を解決するために、本発明は以下のような構成を備えることを特徴とする。
【０００８】
（１）  動体視力や夜間視力計など運転試験場や運転講習会で使用される眼科検査装置において、眼科検査装置とデータ通信接続可能であって、検査結果をデータ管理用コンピュータに転送するデータ転送装置あって、年齢、男女の区別を含む統計分析を行うのに有意な被検者個人データを入力する入力手段と、眼科検査装置の機種名及び製造番号のデータを受け取り、個人データ及び検査データの整理番号の一部として機種名及び製造番号を記憶するメモリと、該メモリに記憶した前記個人データ及び検査データに前記メモリに記憶した機種名及び製造番号を整理番号として付与してデータ管理用コンピュータに出力すると共に、データ管理用コンピュータがファイル形式でデータを管理するためのファイルの識別符号として使用するために、データ転送装置ごとに個別に与えられている機体識別番号をデータ管理用コンピュータに出力する出力手段と、を有するデータ転送装置を、備えたことを特徴とする。
【００１３】
【発明の実施の形態】
本発明の実施の形態を図面に基づいて説明する。図１は本発明に係る測定装置であり、被検者の眼を検査するための検眼装置である動体視力計及び夜間視力計、データ転送装置、データ管理用コンピュータの構成の概要を示す図である。まず、動体視力計本体１、夜間視力計本体１００、データ転送装置５０、データ管理用コンピュータ６０の構成を簡単に説明する。
【００１４】
なお、運転講習会等で多数の被検者を検査する場合、動体視力計１及び夜間視力計１００は複数台が用意されることもあるが、ここでは便宜上各１台のみを示して説明する。また、データ転送装置５０は動体視力計１及び夜間視力計１００にそれぞれ別のものを接続するものとするが、図示する符号は同一にして説明する。
【００１５】
＜動体視力計＞
動体視力計１の内部には、図２に示すように、被検眼Ｅの静止視力及び動体視力を測定する光学系１０、測定結果を記録するメモリや検査プログラムを実行させるための制御部等により構成される制御系２０が配置され、これらを使用することによって得られた測定データは通信ケーブル５１によりデータ転送装置５０側に送信できるようになっている。なお、動体視力は検査視標を光学的に遠方から所定速度で移動し、被検者が視認できたときの視標距離に基づいて測定するものであるが、この測定光学系自体は本発明と関連が薄いのでその説明は省略する。
【００１６】
また、動体視力計１には、検者が操作パネル３のスイッチを操作し、被検者の口頭による応答を得て検査を進める手動モードの他、スピーカ９から発せられる音声ガイドによって、被検者自身がスイッチ操作を行うことで予め定められたプログラムに従って検査が進められる自動モードが用意されている。自動モードでは、被検者が検査窓２を覗き込み、移動してくる視標を視認できたとき、ランドルト視標の切れ目方向にジョイスティック５を倒すことにより応答入力し、判読不能のときはボタン４で応答入力する。これらの入力に基づいて制御系２０がその正誤を判定して自動的に測定結果を得る。測定結果はプリンタ８によって、印刷して出力することもできる。
【００１７】
＜夜間視力計＞
夜間視力計本体１００の外観構成は動体視力計本体１とほぼ同様であるので、同一要素には符号の１００番台を付してその説明は省略する。夜間視力計本体１００の内部には被検者の夜間視力等を検査するための図示無き光学系、制御系が配置され、得られた検査データは通信ケーブル５１によりデータ転送装置５０側に送信できるようになっている。夜間視力は、日中の明るさ相当の空間を一定時間見させることにより被検眼に明順応をさせた後、暗い視野内に視標を呈示し、その視標が視認できるまでの時間を測定結果として得る。
【００１８】
また、動体視力計本体１と同様に、検者の操作による手動モードと被検者がジョイスティック１０５等の操作により応答して検査を進める自動モードが用意されている。
【００１９】
＜データ転送装置＞
データ転送装置５０は動体視力計本体１、夜間視力計本体１００とは分離された筐体を持ち、これらの視力計本体に対して持ち運びが容易になっている。また、このデータ転送装置５０の筐体には、図３に示すように、被検者自信が個人データを入力するための入力キーが設けられた操作スイッチ部５４、入力の操作手順を示す説明表示５００が配置されている。
【００２０】
データ転送装置５０は通信ケーブル５１を介することにより、動体視力計本体１又は夜間視力計１００と接続することができ、異なるタイプの検眼装置本体に使用可能である。図２において、５２は制御部、５３ａは通信ケーブル５１を接続する通信コネクタ、５４は操作スイッチ部、５５はデータを蓄積するメモリであり、メモリ５５としては多数の検査データを蓄積可能な容量を持つフラッシュメモリを採用している。また、データ転送装置５０には、データ管理用のコンピュータ６０とデータ通信を行うための通信コネクタ５３ｂが用意されており、通信ケーブル５６の接続によりデータ転送が行える。
【００２１】
＜データ管理用コンピュータ＞
６０はデータ管理用コンピュータを示し、検眼データ管理プログラムを持つコンピュータ本体６１、モニタ６２、入力部としてのキーボード６３及びマウス６４、プリンタ６５から構成されている。データ転送装置５０とは通信ケーブル５６を介してデータ転送のための接続が可能であり、接続の回線数を増やすことにより、複数台のものと同時に接続できる。
【００２２】
次に、データ転送装置５０が接続された動体視力計、夜間視力計における検査の動作及びデータの記憶動作について、図４、５を使用して説明する。図４、５はそれぞれ動体視力計本体１、夜間視力計本体１００を使用した検査と、得られた測定データをデータ転送装置５０へ記憶（蓄積）する流れを模式的に示したものである。なお、ここでは両視力計１、１００とも自動モードが選択されているものとする。
【００２３】
（Ａ：動体視力計による検査）
検査に先立ち、被検者は個人データをデータ転送装置５０により入力する。このとき入力手順は、説明表示５００がデータ転送装置５０の筐体表面に設けられているので、検者は始めに簡単な説明をしておくのみで、被検者は説明表示５００に従って容易に入力操作を行うことができる。まず、被検者は番号キー５０１を押した後、事前に被検者に知らされている被検者の受講者番号（被検者識別用の記号）をテンキー５０２の各数字キーを使用して入力する。入力した番号は表示部５０３に表示される。続いて、年齢キー５０４を押し、テンキー５０２により被検者の年齢を数字入力する。入力した年齢は表示部５０５に表示される。次に男女の区別を選択キー５０６ａ、５０６ｂで入力する。初期設定は男性になっているので、男性の場合は操作しなくても良い。男女の選択結果は男女の各キーの上にあるランプ５０７ａ又は５０７ｂの点灯により確認できる。次に、裸眼か眼鏡使用かを選択キー５０８ａ、５０８ｂで入力する。初期設定は裸眼になっているので、眼鏡を使用していない者は操作しなくても良い。選択結果はランプ５０９ａ又は５０９ｂの点灯により分かる。
【００２４】
以上のようにデータ転送装置５０にて打ち込んだデータ（以後、個人データと記す）の入力ができたら、スタートキー５１０を押すことにより、検査が自動的にスタートする。被検者は検査窓２に眼を位置させる。検査モードが自動モードのため、被検者はスピーカー９から出る音声ガイドに従って応答ボタン４やジョイステック５等を使用し、静止視力検査と動体視力検査を順に行なう。
【００２５】
検査が終了すると制御系２０により、得られた検査結果のデータが通信ケーブル５１を介してデータ転送装置５０側に自動的に転送される。この際、転送されるデータの中には検査結果のデータの他に、使用した機種である動体視力計を認識するための機種名データ３０（動体視力計の機種名は「ＫＶ」としている）、使用した装置の製造番号データ３１、検査を行なった日時を示す日時データ３２（年、月、日、時、分）、この動体視力計本体１により測定された回数データ３３とがあり、これらがまとめて１人分のデータとしてデータ転送装置５０に転送される。データ転送装置５０では、転送されてきたデータと共に先程入力した個人データを結合してメモリ５５に記憶する。なお、製造番号データ３１は予め装置毎に与えられているものであり、制御系２０に記憶されている。
【００２６】
以上のような検査、データ転送を検査を予定している人数分だけ行い、データ転送装置５０に複数のデータをすべて記憶させておく（以後、このように動体視力計本体１にて検査し、データ転送装置５０内に記憶されたデータをＫＶデータとする）。
【００２７】
（Ｂ：夜間視力計による検査）
検査に先立ち、動体視力計のときと同様に、被検者は受講者番号、年齢、男女の区別等の個人データをデータ転送装置５０により入力する。その後、スタートキー５１０を押すことにより、検査が自動的にスタートする。自動モードでは通常視力測定（静止視力測定）、明るいところから急に暗いところへ移った時の視力回復時間を計る暗順応時間測定、眩しい光が眼に入る中での視力を測定する眩光下視力測定が順次進められるようにプログラムされている。
【００２８】
検査が終了すると、得られた検査データが通信ケーブル５１を介してデータ転送装置５０側に自動的に転送される。動体視力計本体１の検査時と同じように、検査データの他に機種名データ３０（夜間視力計の機種名は「ＮＶ」としている）、製造番号データ３１、日時データ３２、回数データ３３とがまとめて１人分のデータとしてデータ転送装置５０に転送され、これらは入力された個人データと共にメモリ５５に記憶される。
【００２９】
動体視力検査時と同じように検査を予定している人数分だけ行い、データ転送装置５０に複数のデータをすべて記憶させておく（以後、このように夜間視力計本体１００にて検査し、データ転送装置５０内に記憶されたデータをＮＶデータとする）。
【００３０】
なお、データ転送装置５０はさまざまな検眼装置に接続して使用することができるため、初めに動体視力計本体１に使用しておき、次に夜間視力計本体１００に接続させてデータ転送を行なうことで、データ転送装置５０のメモリ５５には異なる機種データ（ＫＶデータやＮＶデータ）が雑居して存在することも可能である。
【００３１】
次に、以上のようにしてデータ転送装置５０のメモリ５５に蓄積されたデータを、データ管理用コンピュータ６０へ転送するときの動作と、コンピュータ６０側でのデータ管理について説明する。
【００３２】
各転送装置５０のメモリ５５には動体視力計本体１、夜間視力計本体１００との接続により、順次検査を行った多数の被検者のデータが蓄積される。コンピュータ６０が離れた場所にあるときは、動体視力計本体１や夜間視力計本体１００を移動することなく、持ち運びが容易なデータ転送装置５０のみを移動してデータ転送を行う。この場合のデータ転送も作成されるファイル名には、データ転送装置５０の製造番号、転送を行なった日時等を使用することとしている。データ転送装置５０の製造番号は、予め個別に与えられているものである。
【００３３】
以下、３台のデータ転送装置５０ａ、５０ｂ、５０ｃに蓄積された検査データを、同じコンピュータ６０が持つハードディスクに記憶させる場合について説明する（図６（ａ）参照）。
【００３４】
まず、初めにＮＶデータが３００人分蓄積されている製造番号Ｓ／Ｎ０１０３号のデータ転送装置５０ａを通信ケーブル５６にてコンピュータ本体６１に接続してデータ転送を行なう。
【００３５】
コンピュータ６０が持つ、動体視力及び夜間視力の管理ソフトを立ち上げると、各データを入力できる入力画面がモニタ６２に表示される。また、この状態で、データ転送装置５０ａに配置された転送スイッチ５１１を押すと、表示器５０３及び５０５には「ＯＵＴ」と表示されるので、これを確認したらスタートスイッチ５１０を押すことにより、メモリ５５に記憶された全データ（ここではＮＶデータ３００人分）がコンピュータ６０側のデータ記憶フォルダに転送される。データ記憶フォルダは管理ソフトのインストール時に予め作成されている。
【００３６】
図６（ｂ）は転送されたデータをまとめるファイルの作成を説明する図である。７０はモニタ６２に表示されているデータ記憶フォルダであり、開いた状態（ウインドウ画面）になっている。データが転送し始め、最初の一人分のデータが転送されると、コンピュータ６０はデータ記憶フォルダ内に全データを受け入れるためのＣＳＶ形式のファイル８０を作成する。
【００３７】
ファイル８０が作成されると同時にファイル８０にファイル名（整理番号）が「NV 0103_19**0601_1630.csv」というように付与される。ファイル名としては順に、検査に使用した機種名、データ転送装置５０ａの製造番号、転送を行なった日時（年、月、日、時、分）、ファイル形式名が付与される。転送されるデータは前述のＮＶデータの他に、データ転送装置５０ａの製造番号データが転送されてくるため、これらにより機種名、製造番号を知ることができる。日時はコンピュータ６０が持つ時計機能を利用し、データが出力されてきた時の日時をファイル名として使用する。
【００３８】
ファイル８０が作成されると、このファイル８０にＮＶデータ３００人分がＣＳＶ形式にて書き込まれ、データ転送が完了する。データ転送が完了すると、表示器５０３には「ＣＬＲ」と表示されるので、再度スタートスイッチ５１０を押すことによりメモリ５５に記憶されたデータがクリアされる。
【００３９】
次に製造番号Ｓ／Ｎ００３９号のデータ転送装置５０ｂのデータ（ＫＶデータ１０００人分、ＮＶデータ５００人分）をコンピュータ６０に転送する。この場合もデータ転送装置５０ｂ側よりコンピュータ６０側へデータの転送が始まると、ファイルが作成されるが、ＫＶデータとＮＶデータが存在しているため、ＫＶデータ用にファイル８１、ＮＶデータ用にファイル８２が作成され、ファイル名はそれぞれ「KV 0039_19**0602_1315.csv」、「NV 0039_19**0602_1315.csv」が付与され、ファイル８０とは製造番号、日時が異なるファイル名となる。
【００４０】
さらに、製造番号Ｓ／Ｎ００５８号のデータ転送装置５０ｃのデータ（ＫＶデータ２０００人分）をコンピュータ６０に転送する。前者と同じようにファイル８３が作成され、ファイル名は「KV 0058_19**0610_0950.csv」が付与される。この場合も前者のファイル８０、８１、８２とは製造番号、日時が異なるファイル名となる。このようにして、コンピュータ６０内に記憶されたファイルは市販の表計算ソフト等にて、統計用のデータとして使用される。
【００４１】
また、このようにして得られた測定結果をさらに全国的な規模での統計用データとして使用したい場合には、これらのデータを全国各地から集めておき、１つのコンピュータ内に記憶させておく必要がある。この場合、例えば図７に示すように各地区で使用しているコンピュータ６０に記憶してあるファイルを各フロッピーディスク９０、９１、９２にそれぞれ記憶させ、記憶した各ファイルを１つのコンピュータの同一フォルダ７１内に入れておけばよい。
【００４２】
この場合、ファイル名に機種名（ここではＫＶ、ＮＶ）が付与されていることで、ファイル８４、８５のように異機種間でのファイル名の重複が避けられる。また、データ転送装置５０の製造番号がファイル名に付与されているため、ファイル８１、８３のように同機種間でのファイル名の重複が避けられる。さらに、検査やデータ送信を行なった日時がファイル名に付与されているため、製造番号が同じ装置の場合であってもファイル８６、８７のようにファイル名の重複が避けられる。
【００４３】
したがって、本実施の形態のようにファイル名に機種名や製造番号、日時等を組み合わせることで、ファイル同士の名前の重複が無くなるため、意図しないファイル同士の上書きが無くなる。
【００４４】
以上の実施の形態ではデータ転送装置５０を通信ケーブル５６を使用して直接コンピュータ６０に接続するものとしたが、これに限らず図８に示すようにデータ転送装置５８にデータを記憶させるためのメモリカード５７が使用できる機能を設け、メモリーカード５７をデータ転送の記憶媒体として使用することも考えられる。この場合、コンピュータ６０側にメモリーカード５７に入っているデータを読み込むための読み込み装置６６を接続しておけばよい。このようにすることで、データ転送装置５８を持ち運ぶ必要が無いため、さらに手軽にデータの転送が行なえる。
【００４５】
さらに、データ転送装置等を介さず、検査装置（この場合、動体視力計本体１や夜間視力計本体１００）とコンピュータ６０とを直接接続させ、データの転送、記憶を行なってもよい。この場合、ファイル名に使用する製造番号は検査装置の製造番号を使用すればよい。
【００４６】
さらにまた、本実施の形態では、データ転送装置５０からコンピュータ６０側へデータを転送する際に、データ転送時の日時データを作成されるファイルの名前に付与するものとしたが、これに限るものではなく、同じ製造番号の装置におけるファイル名の重複を避けるための名前が付与されればよいため、例えば装置毎のデータ送信出力回数をファイル名に付与することも考えられる。
【００４７】
【発明の効果】
以上、説明したように本発明によれば、異機種間、同機種間に関わらずデータを保存させておくファイル名が重複することが無いため、これらのファイルを１ヶ所のコンピュータにて記憶、管理する際に、ファイル名が重複することによる上書きを防ぐことができる。
【図面の簡単な説明】
【図１】動体視力計及び夜間視力計、データ転送装置、データ管理用コンピュータの構成の概要を示す図である。
【図２】動体視力計とデータ転送装置の内部機構を示す図である。
【図３】データ転送装置の入力キーの構成を示す図である。
【図４】動体視力計を使用した検査と、得られた測定データをデータ転送装置へ記憶する流れを模式的に示した図である。
【図５】夜間視力計を使用した検査と、得られた測定データをデータ転送装置へ記憶する流れを模式的に示した図である。
【図６】コンピュータに検査データを記憶させる状態を模式的に示した図である。
【図７】フロッピーディスクを使用してコンピュータにファイルを記憶させる状態を模式的に示した図である。
【図８】メモリーカードにてデータの転送を行う状態を示した図である。
【符号の説明】
１  動体視力計本体
５０  データ転送装置
５１  通信ケーブル
５２  制御部
５６  通信ケーブル
６０  データ管理用コンピュータ
７０  データ記憶フォルダ
８０、８１、８２、８３  ファイル
１００  夜間視力計本体
【図１】
0003792074.tif 000002
【図２】
0003792074.tif 000003
【図３】
0003792074.tif 000004
【図４】
0003792074.tif 000005
【図５】
0003792074.tif 000006
【図６】
0003792074.tif 000007
【図７】
0003792074.tif 000008
【図８】
0003792074.tif 000009